(57)【特許請求の範囲】
【請求項１】
第１のオーディオ信号及び第２のオーディオ信号を入力する入力部と、
スライドするノブを備え当該ノブの位置を位置情報として出力するクロスフェーダ部と、
回転するつまみを備え当該つまみの回転角度を角度情報として出力するフェーダコントロールつまみ部と、
前記クロスフェーダ部からの位置情報及び前記フェーダコントロールつまみ部からの角度情報に基づいて前記入力部に入力された前記第１のオーディオ信号及び前記第２のオーディオ信号のミックスバランスを変更して出力するよう制御するミックスバランス制御部とを備え、
前記ミックスバランス制御部は、前記フェーダコントロールつまみ部の前記つまみが予め定めた第１の角度の範囲内である場合、前記ミックスバランスに関する第１の設定機能の変更を行い、前記フェーダコントロールつまみ部の前記つまみが前記第１の角度の範囲から時計回り方向の予め定めた第２の範囲内である場合、前記ミックスバランスに関する第２の設定機能の変更を行い、前記フェーダコントロールつまみ部の前記つまみが前記第２の範囲から時計回り方向の予め定めた第３の範囲内である場合、前記ミックスバランスに関する第３の設定機能の変更を行い、
前記第１の設定機能は、前記第１のオーディオ信号及び前記第２のオーディオ信号のミキシングカーブの特性の設定を変更する機能であり、前記第２の設定機能は、前記第１のオーディオ信号及び前記第２のオーディオ信号をカットイン／カットアウトすると共にミキシング開始位置の設定を変更する機能であり、前記第３の設定機能は、前記第１のオーディオ信号及び前記第２のオーディオ信号をスルー出力するよう設定する機能であることを特徴とするミキシング装置。
【請求項２】
請求項１記載のミキシング装置において、
前記フェーダコントロールつまみ部は、前記つまみが所定の角度となったときにクリック感を生じる機構を備えることを特徴とするミキシング装置。
【請求項３】
請求項１または２記載のミキシング装置において、
前記フェーダコントロールつまみ部は、前記つまみが所定の角度となったときに回転をロックさせるロック機構を備えることを特徴とするミキシング装置。
【発明の詳細な説明】
【技術分野】
【０００１】
本発明は、入力された複数のオーディオ信号をミキシングして出力するミキシング装置に関する。
【背景技術】
【０００２】
従来、ミキシング装置とアナログレコードプレーヤやＣＤ（Compact Disk）プレーヤを用いて様々な効果音を生成するディスクジョッキー（Disc Jockey（以下、DJという。））が用いるＤＪ用のミキシング装置が知られている。これら従来のミキシング装置は、オーディオ信号を入力する複数の入力端子を備えている。また、従来のミキシング装置は、複数の入力端子に入力される複数のオーディオ信号のうち２つのオーディオ信号の合成（ミックス）の比率（ミックスバランス）を調節するクロスフェーダを備えている（例えば、特許文献１参照）。
【０００３】
このような従来のＤＪ用のミキシング装置には、ＤＪがミキシングする曲の曲調に合わせて様々な技法を行うことができるように、クロスフェーダの操作に応じた様々な設定を行うことができる設定機能を備えるものがある。
【０００４】
例えば、ＤＪが用いる技法の中で、ある曲のオーディオ信号を再生しているときから、徐々に次の曲のオーディオ信号をフェードインしてミックスさせると共に当該ある曲を徐々にフェードアウトさせる技法（以下、「フェードイン／フェードアウト技法」という。）があり、この技法を行う場合、ミキシング装置に備えるボリュウムを回転させることによって、クロスフェーダのノブの位置によって変化するそれぞれのオーディオ信号の出力レベルの度合いの特性であるミキシングカーブ特性を変化させることができる設定機能（以下、「ミキシングカーブ特性設定機能」という。）を備えるものがある。
【０００５】
このミキシングカーブ特性設定機能により、例えば、２つの曲のオーディオ信号のフェードイン／フェードアウトのタイミングを遅くしたい場合は、ミキシングカーブ特性が緩やかな特性となるように設定し、この設定状態で、クロスフェーダのノブをスライドすることにより、ＤＪは、２つの曲のオーディオ信号を遅いタイミングでフェードイン／フェードアウトさせることができる。また、このような２つの曲のオーディオ信号のフェードイン／フェードアウトのタイミングを早くしたい場合は、ミキシングカーブ特性が急となる特性となるように設定し、この設定状態で、クロスフェーダのノブをスライドすることにより、２つの曲のオーディオ信号を早いタイミングでフェードイン／フェードアウトさせることができる。
【０００６】
また、ＤＪが用いる技法の中で、ある曲のオーディオ信号を出力しているときから、次の曲のオーディオ信号を高い音量レベルでカットインさせてミックスしたり、また、２つの曲のオーディオ信号をミックスさせている状態から、ある曲のオーディオ信号のみをカットアウトさせる技法（以下、「カットイン／カットアウト技法」という。）があり、この技法を行う場合、スイッチによってカットイン／カットアウト技法のオン／オフが行えるようにする設定機能（以下、「カットイン／カットアウト設定機能」という。）を備えるものがある。このカットイン／カットアウト設定機能により、カットイン／カットアウト技法を行う場合、当該スイッチをオンにした状態で、クロスフェーダのノブをスライドすることにより、ＤＪは、カットイン／カットアウト技法を行うことができる。
【０００７】
また、前述したフェードイン／フェードアウト技法やカットイン／カットアウト技法をＤＪが行う場合において、例えば、クロスフェーダのノブが一方の端の位置から他方の端の位置までスライド可能な場合、ノブをそれぞれの端の位置から中央方向にスライドさせる過程において２つの曲のオーディオ信号のミックスが開始され始めるクロスフェーダのノブの位置を変化させることができる設定機能（以下、「ミキシング開始位置設定機能」という。）を備えるものがある。このミキシング開始位置設定機能により、２つの曲のオーディオ信号のフェードイン／フェードアウトが開始され始めるクロスフェーダのノブの位置を変化させたり、また、カットイン／カットアウトが行われるクロスフェーダのノブの位置を変化させることができるので、ＤＪは、予めミキシング開始位置設定機能によりミキシング開始位置を設定しておくことによって、所望する好みのクロスフェーダのノブの位置でオーディオ信号をフェードイン／フェードアウトさせたり、また、カットイン／カットアウトさせることができる。
【０００８】
更に、ミキシング装置の設定機能として、例えば、スイッチをオンすることによって、クロスフェーダのノブの位置に拘わらず、２つの入力端子から入力されたそれぞれのオーディオ信号がそれぞれの音量レベルのままスルーしてミックス出力されるようにする設定機能（以下、「スルー出力設定機能」という。）を備えるものがある。このスルー出力設定機能により、例えば、クロスフェーダの操作によって２つの入力端子から入力されたオーディオ信号のミックスバランスを変化させている途中に、スルー出力設定機能のスイッチをオンすることにより、クロスフェーダの位置の影響を受けずに２つの入力端子から入力されたオーディオ信号をそれぞれ入力された音量レベルのまま出力することができる。
【０００９】
【特許文献１】特開平９−２８４８３号公報
【発明の開示】
【発明が解決しようとする課題】
【００１０】
前述したような、「ミキシングカーブ特性設定機能」、「カットイン／カットアウト設定機能」、「ミキシング開始位置設定機能」及び「スルー出力設定機能」を備えたミキシング装置は、ＤＪの行う技法を一層多様化させることができるが、ＤＪは、それぞれの機能を個別に設定する必要があるため、例えば、パフォーマンス中にこれらの機能の設定を即座に行う必要性がある場合、これらの個別の機能設定を短時間で行うことが煩わしい場合がある。また、ＤＪがミキシング装置の操作によってパフォーマンスを行っている最中に、個別の設定機能のうち１つでも設定間違いをしてしまうと、曲が途切れてしまったり、また、曲のテンポがズレてしまうといったパフォーマンスの失敗が生じてしまう虞がある。
【００１１】
また、前述したような複数の設定機能をミキシング装置に備えようとする場合、それぞれ個別の設定用の操作つまみ、ノブ、スイッチ等のコストが掛かり、ミキシング装置のコストが上昇してしまう。また、これら多くの個別の設定用の操作つまみ、ノブ、スイッチ等を設定パネル上面に備えようとすると、設定パネル上面が煩雑化してしまう。
【００１２】
本発明は、ミキシング装置において、ＤＪのパフォーマンス性を高める多くの機能を備えながら、機能の設定ミスを防止し即座に最適な設定を行うことができると共に、装置のコストを低減でき、また、設定パネル上面が煩雑化してしまうことを防止することができるミキシング装置を提供することを目的とする。
【課題を解決するための手段】
【００１３】
上記の課題を解決するために、本願の請求項１記載の発明は、第１のオーディオ信号及び第２のオーディオ信号を入力する入力部と、スライドするノブを備え当該ノブの位置を位置情報として出力するクロスフェーダ部と、回転するつまみを備え当該つまみの回転角度を角度情報として出力するフェーダコントロールつまみ部と、前記クロスフェーダ部からの位置情報及び前記フェーダコントロールつまみ部からの角度情報に基づいて前記入力部に入力された前記第１のオーディオ信号及び前記第２のオーディオ信号のミックスバランスを変更して出力するよう制御するミックスバランス制御部とを備え、前記ミックスバランス制御部は、前記フェーダコントロールつまみ部の前記つまみが予め定めた第１の角度の範囲内である場合、前記ミックスバランスに関する第１の設定機能の変更を行い、前記フェーダコントロールつまみ部の前記つまみが前記第１の角度の範囲から時計回り方向の予め定めた第２の範囲内である場合、前記ミックスバランスに関する第２の設定機能の変更を行い、前記フェーダコントロールつまみ部の前記つまみが前記第２の範囲から時計回り方向の予め定めた第３の範囲内である場合、前記ミックスバランスに関する第３の設定機能の変更を行い、前記第１の設定機能は、前記第１のオーディオ信号及び前記第２のオーディオ信号のミキシングカーブの特性の設定を変更する機能であり、前記第２の設定機能は、前記第１のオーディオ信号及び前記第２のオーディオ信号をカットイン／カットアウトすると共にミキシング開始位置の設定を変更する機能であり、前記第３の設定機能は、前記第１のオーディオ信号及び前記第２のオーディオ信号をスルー出力するよう設定する機能であることを特徴とする。
【００１４】
本願の請求項２記載の発明は、請求項１記載のミキシング装置において、前記フェーダコントロールつまみ部は、前記つまみが所定の角度となったときにクリック感を生じる機構を備えることを特徴とする。
【００１５】
本願の請求項３記載の発明は、請求項１または２記載のミキシング装置において、前記フェーダコントロールつまみ部は、前記つまみが所定の角度となったときに回転をロックさせるロック機構を備えることを特徴とする。
【発明の効果】
【００１８】
本発明によれば、ミキシング装置において、ＤＪのパフォーマンス性を高める多くの機能を備えながら、機能の設定ミスを防止し即座に最適な設定を行うことができると共に、装置のコストを低減でき、また、設定パネル上面が煩雑化してしまうことを防止することができるミキシング装置を提供することができる。
【図面の簡単な説明】
【００１９】
【図１】本発明の一実施例であるミキシング装置の構成を示す斜視図。
【図２】本実施例のミキシング装置１を示すブロック図。
【図３】本実施例のミキシング装置１のクロスフェーダ部２を示す上面図。
【図４】本実施例のミキシング装置１のフェーダコントロールつまみ部３を示す上面図。
【図５】本実施例のミキシング装置１において、クロスフェーダ部２のノブ２０１の位置に応じたミックスバランス制御部４によるミキシングカーブ特性を示す図で、図５（ａ）はフェーダコントロールつまみ部３の目印３０２が位置ａでの状態を示す図、図５（ｂ）は図５（ａ）の状態からフェーダコントロールつまみ部３の目印３０２が位置ｂとなるまでつまみ３０１を回転させた状態を示す図。
【図６】本実施例のミキシング装置１において、クロスフェーダ部２のノブ２０１の位置に応じたミックスバランス制御部４によるミキシングカーブ特性を示す図で、図６（ａ）は図５（ｂ）の状態からフェーダコントロールつまみ部３の目印３０２が位置ｃとなるまでつまみ３０１を回転させた状態を示す図、図６（ｂ）は図６（ａ）の状態からフェーダコントロールつまみ部３の目印３０２が位置ｄとなるまでつまみ３０１を回転させた状態を示す図。
【図７】本実施例のミキシング装置１において、クロスフェーダ部２のノブ２０１の位置に応じたミックスバランス制御部４によるミキシングカーブ特性を示す図で、図６（ｂ）の状態からフェーダコントロールつまみ部３の目印３０２が位置ｅとなるまでつまみ３０１を回転させた状態を示す図。
【発明を実施するための最良の形態】
【００２０】
以下、本発明の実施の形態を図面に基づいて説明する。
図１は、本発明の一実施例であるミキシング装置の構成を示す斜視図である。
ミキシング装置１は、クロスフェーダ部２、フェーダコントロールつまみ部３、第１の入力部１１、第２の入力部１２、マスター出力部１３、筐体１０１及びパネル１０２を備える。
【００２１】
パネル１０２は、細長い角孔である孔１０３を備え、この孔１０３から左右方向にスライド可能に成されたクロスフェーダ部２のノブ２０１が突出している。フェーダコントロールつまみ部３は、パネル１０２に備える図示しない孔から回転可能に成されたつまみ３０１が突出している。
【００２２】
図２は、本実施例のミキシング装置１を示すブロック図である。
ミキシング装置１は、筐体１０１の内部に前述した第１の入力部１１、第２の入力部１２、マスター出力部１３、クロスフェーダ部２及びフェーダコントロールつまみ部３の他にミックスバランス制御部４を備える。
【００２３】
第１の入力部１１及び第２の入力部１２は、それぞれアナログレコードプレーヤやＣＤプレーヤ等の他の装置から出力されたオーディオ信号を入力し、ミックスバランス制御部４に出力する。クロスフェーダ部２は、スライド可能に成されたノブ２０１の位置を検出し、検出したノブ２０１の位置を位置情報としてミックスバランス制御部４に出力する。
【００２４】
フェーダコントロールつまみ部３は、回転可能に成されたつまみ３０１の角度を検出し、検出したつまみ３０１の角度を角度情報としてミックスバランス制御部４に出力する。
【００２５】
ミックスバランス制御部４は、クロスフェーダ部２から出力されたノブ２０１の位置情報とフェーダコントロールつまみ部３から出力されたつまみ３０１の角度情報に基づいて、第１の入力部１１及び第２の入力部１２から出力されたオーディオ信号のミックスバランスを変更してマスター出力部１３に出力する。
【００２６】
図３は、本実施例のミキシング装置１のクロスフェーダ部２を示す上面図である。
図３に示すように、クロスフェーダ部２のノブ２０１は、孔１０３に沿って左右に自在にスライドする。本実施例においては、図３に示すように、ノブ２０１がスライド可能な左端の位置及び右端の位置をぞれぞれ位置Ｃ及び位置Ｂとし、位置Ｃと位置Ｂの中間の位置を位置Ａとする。
【００２７】
図４は、本実施例のミキシング装置１のフェーダコントロールつまみ部３を示す上面図である。
図４に示すように、フェーダコントロールつまみ部３のつまみ３０１は、目印３０２を備える。つまみ３０１は、目印３０２が、角度ａの位置から角度ｆの位置までの回転範囲において、時計回り及び反時計回りに自在に回転可能に成される。パネル１０２上面のつまみ３０１の周囲の部分には、図４に示すような色々な印刷部３０３が施されている。
【００２８】
図４に示すように、本実施例においては、つまみ３０１を中心として、１２時間時計の７時を示す角度を角度ａとし、また、１２時間時計の９時を示す角度を角度ｂとし、また、１２時間時計の１２時を示す角度を角度ｃとし、また、１２時間時計の２時を示す角度を角度ｄとし、また、１２時間時計の３時を示す角度を角度ｅとし、また、１２時間時計の５時を示す角度を角度ｆとする。
【００２９】
ミックスバランス制御部４は、クロスフェーダ部２から出力されたノブ２０１の位置情報に基づいて、第１の設定機能である「ミキシングカーブ特性設定機能」、第２の設定機能である「カットイン／カットアウト及びミキシング開始位置設定機能」及び第３の設定機能である「スルー出力設定機能」の３つの設定機能の変更を行う。
【００３０】
先ず、第１の設定機能である「ミキシングカーブ特性設定機能」について説明する。
【００３１】
図５は、本実施例のミキシング装置１において、クロスフェーダ部２のノブ２０１の位置に応じたミックスバランス制御部４によるミキシングカーブ特性を示す図で、図５（ａ）はフェーダコントロールつまみ部３の目印３０２が位置ａでの状態を示す図、図５（ｂ）は図５（ａ）の状態からフェーダコントロールつまみ部３の目印３０２が位置ｂとなるまでつまみ３０１を回転させた状態を示す図である。
【００３２】
図５（ａ）に示すように、つまみ３０１の目印３０２が図４に示す角度ａのとき、クロスフェーダ部２のノブ２０１が図３に示す位置Ｃにある場合、ミックスバランス制御部４は、第１のオーディオ信号のみが最大の音量レベルでマスター出力部１３から出力されるよう制御する。この状態から、ノブ２０１を中央方向にスライドさせると、ノブ２０１が位置Ｃから位置Ｃ’の間は、第１のオーディオ信号のみが最大の音量レベルでマスター出力部１３から出力されたままとなるが、ノブ２０１が位置Ｃ’を越えて中央方向にスライドされるのに伴って、ミックスバランス制御部４は、第２のオーディオ信号の音量レベルを徐々に増大させるよう第２のオーディオ信号をミックスさせると共に、第１のオーディオ信号の音量レベルを徐々に減少させてマスター出力部１３から出力されるよう制御する。
【００３３】
また、つまみ３０１の目印３０２が図４に示す角度ａのとき、クロスフェーダ部２のノブ２０１が図３に示す位置Ｂにある場合、ミックスバランス制御部４は、第２のオーディオ信号のみが最大の音量レベルでマスター出力部１３から出力されるよう制御する。この状態から、ノブ２０１を中央方向にスライドさせると、ノブ２０１が位置Ｂから位置Ｂ’の間は、第２のオーディオ信号のみが最大の音量レベルでマスター出力部１３から出力されたままとなるが、ノブ２０１が位置Ｂ’を越えて中央方向にスライドされるのに伴って、ミックスバランス制御部４は、第１のオーディオ信号の音量レベルを徐々に増大させるよう第１のオーディオ信号をミックスさせると共に、第２のオーディオ信号を徐々に減少させてマスター出力部１３から出力されるよう制御する。
【００３４】
そして、ノブ２０１が中央の位置である位置Ａのとき、ミックスバランス制御部４は、第１のオーディオ信号と第２のオーディオ信号がそれぞれ略同一の比率でミックスされてマスター出力部１３から出力されるよう制御する。
【００３５】
このように、つまみ３０１の目印３０２が図４に示す角度ａのとき、ミックスバランス制御部４は、ノブ２０１の位置が位置Ｃ’から右方向にスライドするのに伴って角度θ１のミキシングカーブ特性で第２のオーディオ信号をフェードインさせながらミックスさせると共に第１のオーディオ信号をフェードアウトし、また、ノブ２０１の位置が位置Ｂ’から左方向にスライドするのに伴って角度θ２のミキシングカーブ特性で第１のオーディオ信号をフェードインさせながらミックスさせると共に第２のオーディオ信号をフェードアウトするよう制御する。
【００３６】
目印３０２が角度ａにある状態からつまみ３０１を時計回り方向に回転させるのに伴い、ミックスバランス制御部４は、ノブ２０１の位置が位置Ｃ’から右方向にスライドするのに伴ってミックスする第２のオーディオ信号の増大率、及びノブ２０１の位置が位置Ｂ’から左方向にスライドするのに伴ってミックスする第１のオーディオ信号の増大率をそれぞれ大きくするよう制御する。このため、図５（ｂ）に示すように、つまみ３０１の目印３０２が図４に示す角度ｂのときは、目印３０２が角度ａのときと比較して、ノブ２０１の位置が位置Ｃ’から右方向にスライドするのに伴ってミックスされる第２のオーディオ信号の音量レベルのミキシングカーブ特性の角度θ１、及びノブ２０１の位置が位置Ｂ’から左方向にスライドするのに伴ってミックスされる第１のオーディオ信号の音量レベルのミキシングカーブ特性の角度θ２がそれぞれ大きくなる。
【００３７】
このように、つまみ３０１の目印３０２を図４に示す角度ａから角度ｂとなるように、つまみ３０１を時計回り方向に回転することにより、クロスフェーダ部２のノブ２０１の位置によって変化するそれぞれのオーディオ信号の出力レベルの度合いの特性であるミキシングカーブ特性を緩やかな特性から急な特性に変化する。
【００３８】
次に、第２の設定機能である「カットイン／カットアウト及びミキシング開始位置設定機能」について説明する。
【００３９】
図６は、本実施例のミキシング装置１において、クロスフェーダ部２のノブ２０１の位置に応じたミックスバランス制御部４によるミキシングカーブ特性を示す図で、図６（ａ）は図５（ｂ）の状態からフェーダコントロールつまみ部３の目印３０２が位置ｃとなるまでつまみ３０１を回転させた状態を示す図、図６（ｂ）は図６（ａ）の状態からフェーダコントロールつまみ部３の目印３０２が位置ｄとなるまでつまみ３０１を回転させた状態を示す図である。
【００４０】
目印３０２が角度ｂにある状態からつまみ３０１を時計回り方向に回転させるのに伴い、ミックスバランス制御部４は、ノブ２０１の位置が位置Ｃ´から右方向にスライドするのに伴ってミックスする第２のオーディオ信号の増大率、及びノブ２０１の位置が位置Ｂ’から左方向にスライドするのに伴ってミックスする第１のオーディオ信号の増大率をそれぞれ更に大きくするよう制御する。
【００４１】
そして、図６（ａ）に示すように、つまみ３０１の目印３０２が図４に示す角度ｃのときは、ノブ２０１の位置が位置Ｃ’から右方向にスライドするのに伴ってミックスされる第２のオーディオ信号の音量レベルのミキシングカーブ特性の角度θ１、及びノブ２０１の位置が位置Ｂ’から左方向にスライドするのに伴ってミックスされる第１のオーディオ信号の音量レベルのミキシングカーブ特性の角度θ２がそれぞれ略９０度となる。このため、つまみ３０１の目印３０２が図４に示す角度ｃのときは、ミックスバランス制御部４は、ノブ２０１が位置Ｃから位置Ｃ’の間にスライドしているとき、第１のオーディオ信号のみがマスター出力部１３から出力され、また、ノブ２０１が位置Ｂから位置Ｂ’の間にスライドしているとき、第２のオーディオ信号のみがマスター出力部１３から出力されるよう制御するが、ノブ２０１が位置Ｃ’から位置Ｂ’の間にスライドすると、ミックスバランス制御部４は、第１のオーディオ信号と第２のオーディオ信号がそれぞれ最大の音量レベルでミックスされてマスター出力部１３から出力されるよう制御する。
【００４２】
このように、つまみ３０１の目印３０２が図４に示す角度ｃのときは、ノブ２０１を位置Ｃから中央方向にスライドさせた場合、ノブ２０１が位置Ｃ’のときに第２のオーディオ信号をカットインし、また、ノブ２０１を位置Ｂから中央方向にスライドさせた場合、ノブ２０１が位置Ｂ’のときに第１のオーディオ信号をカットインする。また、つまみ３０１の目印３０２が図４に示す角度ｃのときは、ノブ２０１を位置Ａから外側方向にスライドさせた場合、ノブ２０１が位置Ｃ’のときに第２のオーディオ信号をカットアウトし、また、ノブ２０１が位置Ｂ’のときに第１のオーディオ信号をカットアウトする。
【００４３】
目印３０２が角度ｃにある状態からつまみ３０１を時計回り方向に回転させるのに伴い、ミックスバランス制御部４は、前述した第２のオーディオ信号のカットイン／カットアウト位置となる位置Ｃ、及び第１のオーディオ信号のカットイン／カットアウト位置となる位置Ｂがそれぞれ外側に移動したミキシングカーブ特性となるよう制御する。
【００４４】
このように、図６（ｂ）に示すように、つまみ３０１の目印３０２が図４に示す角度ｄのときは、目印３０２が角度ｃのときと比較して、第２のオーディオ信号をカットイン／カットアウトする位置が位置Ｃ’から位置Ｃ’’へと外側に移動し、また、第１のオーディオ信号をカットイン／カットアウトする位置が位置Ｂ’から位置Ｂ’’へと外側に移動したミキシングカーブ特性となる。
【００４５】
次に、第３の設定機能である「スルー出力設定機能」について説明する。
【００４６】
図７は、本実施例のミキシング装置１において、クロスフェーダ部２のノブ２０１の位置に応じたミックスバランス制御部４によるミキシングカーブ特性を示す図で、図６（ｂ）の状態からフェーダコントロールつまみ部３の目印３０２が位置ｅとなるまでつまみ３０１を回転させた状態を示す図である。
【００４７】
目印３０２が角度ｄにある状態からつまみ３０１を時計回り方向に回転させるのに伴い、ミックスバランス制御部４は、前述した第２のオーディオ信号のカットイン／カットアウト位置となる位置Ｃ’’、及び第１のオーディオ信号のカットイン／カットアウト位置となる位置Ｂ’’がそれぞれ更に外側に移動したミキシングカーブ特性となるよう制御する。
【００４８】
このため、図７に示すように、つまみ３０１の目印３０２が図４に示す角度ｅのときは、第２のオーディオ信号のカットイン／カットアウト位置が位置Ｃとなり、また、第１のオーディオ信号のカットイン／カットアウト位置が位置Ｂとなるミキシングカーブ特性となる。このとき、ミックスバランス制御部４は、ノブ２０１がスライド可能範囲となる位置Ｃから位置Ｂの間のどの位置であっても、第１のオーディオ信号と第２のオーディオ信号がそれぞれ最大の音量レベルでミックスして出力するよう制御する。このため、つまみ３０１の目印３０２が図４に示す角度ｅのときは、いわゆる第１のオーディオ信号と第２のオーディオ信号がスルー出力される。
【００４９】
そして、ミックスバランス制御部４は、つまみ３０１の目印３０２が図４に示す角度ｅからつまみ３０１を時計方向に回転させて角度ｆとなる位置までの範囲において、ノブ２０１がどの位置であっても第１のオーディオ信号と第２のオーディオ信号がスルー出力されるよう制御する。
【００５０】
なお、図５（ａ）から図７に示す図によって説明したように、本実施例のミキシング装置１は、つまみ３０１の目印３０２が図４に示す角度ａから角度ｂ〜ｅを介して角度ｆとなるまでつまみ３０１を時計回り方向に回転させた場合におけるノブ２０１の位置に応じたミックスバランス制御部４によるミキシングカーブ特性の変化について説明したが、つまみ３０１の目印３０２が図４に示す角度ｆの状態から角度ａとなるまでつまみ３０１を反時計回り方向に回転させた場合においても、以上に説明したのと反対のミックスバランス制御部４によるミキシングカーブ特性の変化が生じるものとする。
【００５１】
以上のように、本実施例のミキシング装置１は、つまみ３０１の目印３０２が図４に示す角度ａから角度ｃの略１５０度の範囲内においては、つまみ３０１を時計回り方向又は反時計回り方向に回転させることによって、クロスフェーダ部２のノブ２０１の位置によって変化する第１のオーディオ信号と第２のオーディオ信号のそれぞれのオーディオ信号の出力レベルの度合いの特性であるミキシングカーブ特性を変化させることができる。
【００５２】
また、本実施例のミキシング装置１は、つまみ３０１の目印３０２が図４に示す角度ｃから角度ｅの略９０度の範囲内においては、クロスフェーダ部２のノブ２０１をスライドさせることによって、第１のオーディオ信号及び第２のオーディオ信号をカットイン／カットアウトさせ、且つ、つまみ３０１を時計回り方向又は反時計回り方向に回転させることによって、第１のオーディオ信号及び第２のオーディオ信号をカットイン／カットアウトさせる位置を変化させることができる。
【００５３】
また、本実施例のミキシング装置１は、つまみ３０１の目印３０２が図４に示す角度ｅから角度ｆの６０度の範囲内においては、クロスフェーダ部２のノブ２０１の位置に拘わらず、第１のオーディオ信号と第２のオーディオ信号をそれぞれ最大の音量レベルでミックスさせてスルー出力させることができる。
【００５４】
このように、本実施例のミキシング装置１は、つまみ３０１の目印３０２が図４に示す角度ａから角度ｃの範囲内で、つまみ３０１を時計回り方向又は反時計回り方向に回転させることによって、ミキシングカーブ特性を設定する「ミキシングカーブ特性設定機能」としての設定変更をすることができ、また、つまみ３０１の目印３０２が図４に示す角度ｃから角度ｅの範囲内で、つまみ３０１を時計回り方向又は反時計回り方向に回転させることによって、第１のオーディオ信号及び第２のオーディオ信号をカットイン／カットアウトすると共に、第１のオーディオ信号及び第２のオーディオ信号をカットイン／カットアウトさせる位置を設定する「カットイン／カットアウト及びミキシング開始位置設定機能」としての設定変更をすることができ、更に、つまみ３０１の目印３０２が図４に示す角度ｅから角度ｆの範囲内で、第１のオーディオ信号と第２のオーディオ信号をそれぞれ最大の音量レベルでミックスさせて出力させる「スルー出力設定機能」としての設定変更をすることができる。
【００５５】
ＤＪがミキシング装置１によってディスコやダンスクラブでパフォーマンスを行う場合に用いる技法は、ミキシング装置によってミキシングして出力させるオーディオ信号の楽曲に応じて特定の技法のみを用いる場合が多い。このため、使用する設定機能も、出力させるオーディオ信号の楽曲に応じて使用する特定の技法に必要な設定機能のみとなる。例えば、ミキシング装置でミキシングして出力させる楽曲がいわゆるユーロビート系やハウスミュージック系と言われる楽曲においては、背景技術で説明した「フェードイン／フェードアウト技法」を多様に用いることから、この技法に伴って使用する設定機能は「ミキシングカーブ特性設定機能」となる。一方、ミキシング装置でミキシングして出力させる楽曲がいわゆるヒップホップ系と言われる楽曲や、スクラッチ音を多様にカットイン／カットアウトする楽曲においては、背景技術で説明した「カットイン／カットアウト技法」を多様に用いることから、この技法に伴って使用する設定機能は、背景技術で説明した「カットイン／カットアウト設定機能」、「ミキシング開始位置設定機能」及び「スルー出力設定機能」となる。
【００５６】
このため、本実施例のミキシング装置１によれば、ミキシング装置１でミキシングして出力させる楽曲が、例えば、いわゆるユーロビート系やハウスミュージック系と言われる楽曲の場合には、つまみ３０１の目印３０２が図４に示す角度ａから角度ｃの間となる範囲内でつまみ３０１を回転させることにより、「ミキシングカーブ特性設定機能」「カットイン／カットアウト及びミキシング開始位置設定機能」及び「スルー出力設定機能」の内、「ミキシングカーブ特性設定機能」のみが設定変更可能となるため、他の設定機能を間違えて設定してしまうことを防止することができる。また、本実施例のミキシング装置１によれば、ミキシング装置１でミキシングして出力させる楽曲が、例えば、いわゆるヒップホップ系と言われる楽曲の場合には、つまみ３０１の目印３０２が図４に示す角度ｃから角度ｆの間となる範囲内でつまみ３０１を回転させることにより、「ミキシングカーブ特性設定機能」「カットイン／カットアウト及びミキシング開始位置設定機能」及び「スルー出力設定機能」の内、「カットイン／カットアウト及びミキシング開始位置設定機能」及び「スルー出力設定機能」のみが設定変更可能となるため、「ミキシングカーブ特性設定機能」を間違えて設定してしまうことを防止することができる。
【００５７】
なお、本実施例においては、背景技術で説明した「カットイン／カットアウト設定機能」と「ミキシング開始位置設定機能」を「カットイン／カットアウト及びミキシング開始位置設定機能」の１つの設定機能として説明した。これは、前述した「フェードイン／フェードアウト技法」を用いる場合は、殆ど、「カットイン／カットアウト設定機能」及び「ミキシング開始位置設定機能」の２つの設定機能を使用せず、反対に、前述した「カットイン／カットアウト技法」を用いる場合は、殆ど、「カットイン／カットアウト設定機能」と「ミキシング開始位置設定機能」の２つの設定機能を併用するため、本実施例においては、カットイン／カットアウト設定機能」と「ミキシング開始位置設定機能」を「カットイン／カットアウト及びミキシング開始位置設定機能」の１つの設定機能とした。
【００５８】
このように、本実施例のミキシング装置１は、従来のミキシング装置のように、他の設定機能を間違えて設定及び設定変更していまい、ミキシングした曲が途切れてしまったり、また、ミキシングした曲のテンポがズレてしまうといったパフォーマンスの失敗が生じてしまうことを防止することができる。
【００５９】
また、本実施例のミキシング装置１によれば、「ミキシングカーブ特性設定機能」「カットイン／カットアウト及びミキシング開始位置設定機能」及び「スルー出力設定機能」の３つの設定を、フェーダコントロールつまみ部３のつまみ３０１の回転により行うことができるので、それぞれの個別の設定用の操作つまみ、ノブ、スイッチ等を備える必要がなく、また、これらの個別の設定用の操作つまみ、ノブ、スイッチ等をミキシング装置の設定パネル上に備える必要がない。このため、ミキシング装置のコストを低減することができ、また、設定パネルの操作部がそれぞれの個別設定用の操作つまみ、ノブ、スイッチ等によって煩雑化してしまうことを防止することができる。
【００６０】
本実施例のミキシング装置１は、図４に示すように、パネル１０２の上面のつまみ３０１の周囲部分となる位置に機能設定の内容を示す様々な印刷部３０３が施されていることにより、使用者は、つまみ３０１の目印３０２の位置を目視することで、現在の機能設定内容を容易に認識することができ、また、特定の機能設定を変更したい場合、つまみ３０１の目印３０２が所望する機能設定を示す印刷部３０３の位置となるようにつまみ３０１を回転させることにより、迅速に所望する機能設定を行うことができる。特に、角度ａの位置にフェードイン／フェードアウトの機能設定を示す図を印刷部３０３によって施し、また、角度ｃの位置にカットイン／カットアウトの機能設定を示す図を印刷部３０３によって施し、更に、角度ｅから角度ｆの位置にスルー出力の機能設定を示す図を印刷部３０３によって施しているため、使用者は、目印３０２の位置と印刷部３０３を目視することにより容易に現在の機能設定内容を認識することができ、また、迅速に所望する機能設定を行うことができる。
【００６１】
本実施例のミキシング装置１は、つまみ３０１を中心として、１２時間時計の７時を示す角度を角度ａとし、また、１２時間時計の１２時を示す角度を角度ｃとし、また、１２時間時計の３時を示す角度を角度ｅとし、また、１２時間時計の５時を示す角度を角度ｆとしたが、これに限らず任意の角度において機能設定の内容を変更する構成としても良い。また、本実施例のミキシング装置１は、つまみ３０１が角度ａから角度ｆの範囲内において自在に回転する構成としたが、これに限らず任意の範囲内において自在に回転する構成としても良いし、３６０度回転する構成としても良い。
【００６２】
本実施例のミキシング装置１は、例えば、つまみ３０１を回転させる過程において、目印３０２が角度ｃとなる角度や、目印３０２が角度ｅとなる角度でクリック感を有するクリック機構を備えても良い。これにより、使用者は、周囲が暗い環境においても、つまみ３０１を回転させていく過程において生じるクリック感によって、前述した３つの機能設定の内、どの設定機能の範囲内にあるかを容易に認識することができる。
【００６３】
本実施例のミキシング装置１は、例えば、つまみ３０１を回転させる過程において、目印３０２が角度ｅより時計回り方向に回転させた場合に、つまみ３０１の回転をロックさせることができるロック機構を備えても良い。これにより、使用者は、例えば、目印３０２が角度ｅより時計回り方向となるように回転させ、第１のオーディオ信号と第２のオーディオ信号をスルー出力させている状態において、不用意にノブ２０１が回転してしまい、他の設定内容となってしまうことを防止することができる。
【００６４】
本実施例のミキシング装置１は、フェーダコントロールつまみ部３のつまみ３０１を回転させることにより、設定機能の内容を変更する構成としたが、回転式のつまみ３０１の代わりにスライド式のノブを備え、このノブのスライド位置によって設定機能の内容を変更する構成としても良い。また、回転式のつまみ３０１の代わりに、並列した設定スイッチや円形に並んだスイッチを備え、このスイッチのオン／オフによって機能設定の内容を変更する構成としても良い。更に、回転式のつまみ３０１の代わりに、タッチ検出式の操作部を備え、この操作部をタッチすることによって機能設定の内容を変更する構成としても良い。
【００６５】
本実施例のミキシング装置は、フェーダコントロールつまみ部３のつまみ３０１に角度に応じて、「ミキシングカーブ特性設定機能」「カットイン／カットアウト及びミキシング開始位置設定機能」及び「スルー出力設定機能」の３つの設定機能の変更を行う構成としたが、これらの設定機能に限らず、他の設定の変更を行う構成としても良いし、また、３つの設定機能の内のいずれかのみの設定機能の変更を行う構成としても良い。
【００６６】
本実施例のミキシング装置１は、フェーダコントロールつまみ部３のつまみ３０１の回転によって、第１の入力部１１に入力された第１のオーディオ信号と第２の入力部１２に入力された第２のオーディオ信号のミキシング特性を設定する構成としたが、このつまみ３０１によって、ミキシング以外にも様々な機能設定の内容を変更することができる構成としても良い。
【産業上の利用可能性】
【００６７】
本発明は、入力された複数のオーディオ信号をミキシングして出力するミキシング装置に有用に用いることができる。
【符号の説明】
【００６８】
１  ミキシング装置、１０１  筐体、１０２  パネル、１０３  孔、
２  クロスフェーダ部、２０１  ノブ、
３  フェーダコントロールつまみ部、３０１  つまみ、３０２  目印、３０３  印刷部、
４  ミックスバランス制御部、
１１  第１の入力部、１２  第２の入力部、１３  マスター出力部
【図１】
0005508178.tif 000002
【図２】
0005508178.tif 000003
【図３】
0005508178.tif 000004
【図４】
0005508178.tif 000005
【図５】
0005508178.tif 000006
【図６】
0005508178.tif 000007
【図７】
0005508178.tif 000008